【手続補正書】
【提出日】平成25年12月20日(2013.12.20)
【手続補正１】
【補正対象書類名】特許請求の範囲
【補正対象項目名】全文
【補正方法】変更
【補正の内容】
【特許請求の範囲】
【請求項１】
１以上の予測ブロックからなる復号ブロックを復号する動画像復号装置であって、
復号対象の予測ブロックで利用する結合動き情報候補を特定するためのインデックスが候補特定インデックスとして符号化された符号列から、前記候補特定インデックスを復号する復号部と、
前記復号ブロック内の予測ブロックの全てに対して共通に利用する時間結合動き情報候補を導出するか否かを示す情報が前記復号ブロック内の予測ブロックの全てに対して共通に利用する時間結合動き情報候補を導出することを示す情報であった場合、復号対象の予測ブロックのあるピクチャとは別の復号済みのピクチャの予測ブロックから、前記復号ブロック内の予測ブロックの全てに対して共通に利用する時間結合動き情報候補を導出する時間結合動き情報候補生成部と、
前記時間結合動き情報候補を含む複数の結合動き情報候補を生成する結合動き情報候補生成部と、
前記候補特定インデックスに基づいて前記複数の結合動き情報候補から１つの結合動き情報候補を選択し、選択された前記１つの結合動き情報候補を前記復号対象の予測ブロックの動き情報として利用する結合動き情報選択部と
を備えることを特徴とする動画像復号装置。
【請求項２】
１以上の予測ブロックからなる復号ブロックを復号する動画像復号方法であって、
復号対象の予測ブロックで利用する結合動き情報候補を特定するためのインデックスが候補特定インデックスとして符号化された符号列から、前記候補特定インデックスを復号する復号ステップと、
前記復号ブロック内の予測ブロックの全てに対して共通に利用する時間結合動き情報候補を導出するか否かを示す情報が前記復号ブロック内の予測ブロックの全てに対して共通に利用する時間結合動き情報候補を導出することを示す情報であった場合、復号対象の予測ブロックのあるピクチャとは別の復号済みのピクチャの予測ブロックから、前記復号ブロック内の予測ブロックの全てに対して共通に利用する時間結合動き情報候補を導出する時間結合動き情報候補生成ステップと、
前記時間結合動き情報候補を含む複数の結合動き情報候補を生成する結合動き情報候補生成ステップと、
前記候補特定インデックスに基づいて前記複数の結合動き情報候補から１つの結合動き情報候補を選択し、選択された前記１つの結合動き情報候補を前記復号対象の予測ブロックの動き情報として利用する結合動き情報選択ステップと
を有することを特徴とする動画像復号方法。
【請求項３】
１以上の予測ブロックからなる復号ブロックを復号する動画像復号プログラムであって、
復号対象の予測ブロックで利用する結合動き情報候補を特定するためのインデックスが候補特定インデックスとして符号化された符号列から、前記候補特定インデックスを復号する復号ステップと、
前記復号ブロック内の予測ブロックの全てに対して共通に利用する時間結合動き情報候補を導出するか否かを示す情報が前記復号ブロック内の予測ブロックの全てに対して共通に利用する時間結合動き情報候補を導出することを示す情報であった場合、復号対象の予測ブロックのあるピクチャとは別の復号済みのピクチャの予測ブロックから、前記復号ブロック内の予測ブロックの全てに対して共通に利用する時間結合動き情報候補を導出する時間結合動き情報候補生成ステップと、
前記時間結合動き情報候補を含む複数の結合動き情報候補を生成する結合動き情報候補生成ステップと、
前記候補特定インデックスに基づいて前記複数の結合動き情報候補から１つの結合動き情報候補を選択し、選択された前記１つの結合動き情報候補を前記復号対象の予測ブロックの動き情報として利用する結合動き情報選択ステップと
をコンピュータに実行させることを特徴とする動画像復号プログラム。
【請求項４】
符号化ストリームから、１以上の予測ブロックからなる復号ブロックを復号する受信装置であって、
動画像が符号化された符号化データを受信する受信部と、
前記符号化データをパケット処理して前記符号化ストリームを生成するパケット処理部と、
復号対象の予測ブロックで利用する結合動き情報候補を特定するためのインデックスが候補特定インデックスとして符号化された、前記符号化ストリームの符号列から、前記候補特定インデックスを復号する復号部と、
前記復号ブロック内の予測ブロックの全てに対して共通に利用する時間結合動き情報候補を導出するか否かを示す情報が前記復号ブロック内の予測ブロックの全てに対して共通に利用する時間結合動き情報候補を導出することを示す情報であった場合、復号対象の予測ブロックのあるピクチャとは別の復号済みのピクチャの予測ブロックから、前記復号ブロック内の予測ブロックの全てに対して共通に利用する時間結合動き情報候補を導出する時間結合動き情報候補生成部と、
前記時間結合動き情報候補を含む複数の結合動き情報候補を生成する結合動き情報候補生成部と、
前記候補特定インデックスに基づいて前記複数の結合動き情報候補から１つの結合動き情報候補を選択し、選択された前記１つの結合動き情報候補を前記復号対象の予測ブロックの動き情報として利用する結合動き情報選択部と
を備えることを特徴とする受信装置。
【請求項５】
符号化ストリームから、１以上の予測ブロックからなる復号ブロックを復号する受信方法であって、
動画像が符号化された符号化データを受信する受信ステップと、
前記符号化データをパケット処理して前記符号化ストリームを生成するパケット処理ステップと、
復号対象の予測ブロックで利用する結合動き情報候補を特定するためのインデックスが候補特定インデックスとして符号化された、前記符号化ストリームの符号列から、前記候補特定インデックスを復号する復号ステップと、
前記復号ブロック内の予測ブロックの全てに対して共通に利用する時間結合動き情報候補を導出するか否かを示す情報が前記復号ブロック内の予測ブロックの全てに対して共通に利用する時間結合動き情報候補を導出することを示す情報であった場合、復号対象の予測ブロックのあるピクチャとは別の復号済みのピクチャの予測ブロックから、前記復号ブロック内の予測ブロックの全てに対して共通に利用する時間結合動き情報候補を導出する時間結合動き情報候補生成ステップと、
前記時間結合動き情報候補を含む複数の結合動き情報候補を生成する結合動き情報候補生成ステップと、
前記候補特定インデックスに基づいて前記複数の結合動き情報候補から１つの結合動き情報候補を選択し、選択された前記１つの結合動き情報候補を前記復号対象の予測ブロックの動き情報として利用する結合動き情報選択ステップと
を有することを特徴とする受信方法。
【請求項６】
符号化ストリームから、１以上の予測ブロックからなる復号ブロックを復号する受信プログラムであって、
動画像が符号化された符号化データを受信する受信ステップと、
前記符号化データをパケット処理して前記符号化ストリームを生成するパケット処理ステップと、
復号対象の予測ブロックで利用する結合動き情報候補を特定するためのインデックスが候補特定インデックスとして符号化された、前記符号化ストリームの符号列から、前記候補特定インデックスを復号する復号ステップと、
前記復号ブロック内の予測ブロックの全てに対して共通に利用する時間結合動き情報候補を導出するか否かを示す情報が前記復号ブロック内の予測ブロックの全てに対して共通に利用する時間結合動き情報候補を導出することを示す情報であった場合、復号対象の予測ブロックのあるピクチャとは別の復号済みのピクチャの予測ブロックから、前記復号ブロック内の予測ブロックの全てに対して共通に利用する時間結合動き情報候補を導出する時間結合動き情報候補生成ステップと、
前記時間結合動き情報候補を含む複数の結合動き情報候補を生成する結合動き情報候補生成ステップと、
前記候補特定インデックスに基づいて前記複数の結合動き情報候補から１つの結合動き情報候補を選択し、選択された前記１つの結合動き情報候補を前記復号対象の予測ブロックの動き情報として利用する結合動き情報選択ステップと
をコンピュータに実行させることを特徴とする受信プログラム。
【手続補正２】
【補正対象書類名】明細書
【補正対象項目名】発明の名称
【補正方法】変更
【補正の内容】
【発明の名称】動画像復号装置、動画像復号方法、及び動画像復号プログラム、並びに、受信装置、受信方法、及び受信プログラム
【手続補正３】
【補正対象書類名】明細書
【補正対象項目名】０００１
【補正方法】変更
【補正の内容】
【０００１】
本発明は、動き補償予測を用いた動画像復号技術に関し、特に動き補償予測で利用する動き情報を復号する動画像復号装置、動画像復号方法、及び動画像復号プログラム、並びに、受信装置、受信方法、及び受信プログラムに関する。
【手続補正４】
【補正対象書類名】明細書
【補正対象項目名】００１０
【補正方法】変更
【補正の内容】
【００１０】
１以上の予測ブロックからなる復号ブロックを復号する動画像復号装置であって、復号対象の予測ブロックで利用する結合動き情報候補を特定するためのインデックスが候補特定インデックスとして符号化された符号列から、前記候補特定インデックスを復号する復号部と、前記復号ブロック内の予測ブロックの全てに対して共通に利用する時間結合動き情報候補を導出するか否かを示す情報が前記復号ブロック内の予測ブロックの全てに対して共通に利用する時間結合動き情報候補を導出することを示す情報であった場合、復号対象の予測ブロックのあるピクチャとは別の復号済みのピクチャの予測ブロックから、前記復号ブロック内の予測ブロックの全てに対して共通に利用する時間結合動き情報候補を導出する時間結合動き情報候補生成部と、前記時間結合動き情報候補を含む複数の結合動き情報候補を生成する結合動き情報候補生成部と、前記候補特定インデックスに基づいて前記複数の結合動き情報候補から１つの結合動き情報候補を選択し、選択された前記１つの結合動き情報候補を前記復号対象の予測ブロックの動き情報として利用する結合動き情報選択部とを備えることを特徴とする動画像復号装置を提供する。
１以上の予測ブロックからなる復号ブロックを復号する動画像復号方法であって、復号対象の予測ブロックで利用する結合動き情報候補を特定するためのインデックスが候補特定インデックスとして符号化された符号列から、前記候補特定インデックスを復号する復号ステップと、前記復号ブロック内の予測ブロックの全てに対して共通に利用する時間結合動き情報候補を導出するか否かを示す情報が前記復号ブロック内の予測ブロックの全てに対して共通に利用する時間結合動き情報候補を導出することを示す情報であった場合、復号対象の予測ブロックのあるピクチャとは別の復号済みのピクチャの予測ブロックから、前記復号ブロック内の予測ブロックの全てに対して共通に利用する時間結合動き情報候補を導出する時間結合動き情報候補生成ステップと、前記時間結合動き情報候補を含む複数の結合動き情報候補を生成する結合動き情報候補生成ステップと、前記候補特定インデックスに基づいて前記複数の結合動き情報候補から１つの結合動き情報候補を選択し、選択された前記１つの結合動き情報候補を前記復号対象の予測ブロックの動き情報として利用する結合動き情報選択ステップとを有することを特徴とする動画像復号方法を提供する。
１以上の予測ブロックからなる復号ブロックを復号する動画像復号プログラムであって、復号対象の予測ブロックで利用する結合動き情報候補を特定するためのインデックスが候補特定インデックスとして符号化された符号列から、前記候補特定インデックスを復号する復号ステップと、前記復号ブロック内の予測ブロックの全てに対して共通に利用する時間結合動き情報候補を導出するか否かを示す情報が前記復号ブロック内の予測ブロックの全てに対して共通に利用する時間結合動き情報候補を導出することを示す情報であった場合、復号対象の予測ブロックのあるピクチャとは別の復号済みのピクチャの予測ブロックから、前記復号ブロック内の予測ブロックの全てに対して共通に利用する時間結合動き情報候補を導出する時間結合動き情報候補生成ステップと、前記時間結合動き情報候補を含む複数の結合動き情報候補を生成する結合動き情報候補生成ステップと、前記候補特定インデックスに基づいて前記複数の結合動き情報候補から１つの結合動き情報候補を選択し、選択された前記１つの結合動き情報候補を前記復号対象の予測ブロックの動き情報として利用する結合動き情報選択ステップとをコンピュータに実行させることを特徴とする動画像復号プログラムを提供する。
符号化ストリームから、１以上の予測ブロックからなる復号ブロックを復号する受信装置であって、動画像が符号化された符号化データを受信する受信部と、前記符号化データをパケット処理して前記符号化ストリームを生成するパケット処理部と、復号対象の予測ブロックで利用する結合動き情報候補を特定するためのインデックスが候補特定インデックスとして符号化された、前記符号化ストリームの符号列から、前記候補特定インデックスを復号する復号部と、前記復号ブロック内の予測ブロックの全てに対して共通に利用する時間結合動き情報候補を導出するか否かを示す情報が前記復号ブロック内の予測ブロックの全てに対して共通に利用する時間結合動き情報候補を導出することを示す情報であった場合、復号対象の予測ブロックのあるピクチャとは別の復号済みのピクチャの予測ブロックから、前記復号ブロック内の予測ブロックの全てに対して共通に利用する時間結合動き情報候補を導出する時間結合動き情報候補生成部と、前記時間結合動き情報候補を含む複数の結合動き情報候補を生成する結合動き情報候補生成部と、前記候補特定インデックスに基づいて前記複数の結合動き情報候補から１つの結合動き情報候補を選択し、選択された前記１つの結合動き情報候補を前記復号対象の予測ブロックの動き情報として利用する結合動き情報選択部とを備えることを特徴とする受信装置を提供する。
符号化ストリームから、１以上の予測ブロックからなる復号ブロックを復号する受信方法であって、動画像が符号化された符号化データを受信する受信ステップと、前記符号化データをパケット処理して前記符号化ストリームを生成するパケット処理ステップと、復号対象の予測ブロックで利用する結合動き情報候補を特定するためのインデックスが候補特定インデックスとして符号化された、前記符号化ストリームの符号列から、前記候補特定インデックスを復号する復号ステップと、前記復号ブロック内の予測ブロックの全てに対して共通に利用する時間結合動き情報候補を導出するか否かを示す情報が前記復号ブロック内の予測ブロックの全てに対して共通に利用する時間結合動き情報候補を導出することを示す情報であった場合、復号対象の予測ブロックのあるピクチャとは別の復号済みのピクチャの予測ブロックから、前記復号ブロック内の予測ブロックの全てに対して共通に利用する時間結合動き情報候補を導出する時間結合動き情報候補生成ステップと、前記時間結合動き情報候補を含む複数の結合動き情報候補を生成する結合動き情報候補生成ステップと、前記候補特定インデックスに基づいて前記複数の結合動き情報候補から１つの結合動き情報候補を選択し、選択された前記１つの結合動き情報候補を前記復号対象の予測ブロックの動き情報として利用する結合動き情報選択ステップとを有することを特徴とする受信方法を提供する。
符号化ストリームから、１以上の予測ブロックからなる復号ブロックを復号する受信プログラムであって、動画像が符号化された符号化データを受信する受信ステップと、前記符号化データをパケット処理して前記符号化ストリームを生成するパケット処理ステップと、復号対象の予測ブロックで利用する結合動き情報候補を特定するためのインデックスが候補特定インデックスとして符号化された、前記符号化ストリームの符号列から、前記候補特定インデックスを復号する復号ステップと、前記復号ブロック内の予測ブロックの全てに対して共通に利用する時間結合動き情報候補を導出するか否かを示す情報が前記復号ブロック内の予測ブロックの全てに対して共通に利用する時間結合動き情報候補を導出することを示す情報であった場合、復号対象の予測ブロックのあるピクチャとは別の復号済みのピクチャの予測ブロックから、前記復号ブロック内の予測ブロックの全てに対して共通に利用する時間結合動き情報候補を導出する時間結合動き情報候補生成ステップと、前記時間結合動き情報候補を含む複数の結合動き情報候補を生成する結合動き情報候補生成ステップと、前記候補特定インデックスに基づいて前記複数の結合動き情報候補から１つの結合動き情報候補を選択し、選択された前記１つの結合動き情報候補を前記復号対象の予測ブロックの動き情報として利用する結合動き情報選択ステップとをコンピュータに実行させることを特徴とする受信プログラムを提供する。
【手続補正５】
【補正対象書類名】明細書
【補正対象項目名】００１１
【補正方法】削除
【補正の内容】
【手続補正６】
【補正対象書類名】明細書
【補正対象項目名】００１２
【補正方法】削除
【補正の内容】